(57)【要約】【課題】同期信号以外に特別な識別信号を割り当てる必要なく、分割して伝送するデータのそれぞれの通信路を識別したり、送信側の異常等の各種の状態を受信側に通知することが可能なデータ通信システムおよびデータ通信方法を得る。【解決手段】第１の端末装置１０１から相手先に送出されるデータは第１のデータ分割装置１０３に入力され、データ分割・多重部１１４で分割され、第１〜第ｎの回線終端部１１２1〜１１２nでそれぞれ同期信号を第１〜第ｎの回線１０５1〜１０５nごとに固有の連続回数で連続させたデータ構成にして、これらの回線に送出される。受信側では同期信号の連続回数で第１〜第ｎの回線１０５1〜１０５nを識別し、これを基にして同期後のデータを順に組み立てて、データを再生する。同期信号の連続数で送信側の各種の状態を受信側に通知することもできる。【選択図】図２
2008172719.tif 000002
【特許請求の範囲】
【請求項１】
送信対象としてのビットシリアルなデータを、特定の宛先まで送信する際に、伝送に使用する複数系統の伝送路の数に応じて分割するデータ分割手段と、このデータ分割手段で分割後のデータであるそれぞれの分割後データに、伝送路を異にして伝送する際の同期をとるための同期信号をそれぞれ挿入する同期信号挿入手段と、この同期信号挿入手段で前記分割後データの各々に挿入される同期信号に対して前記複数系統の伝送路それぞれに固有の回数で前記同期信号を連続して付加する同期信号連続付加手段とを備えたデータ送信装置と、
このデータ送信装置から前記複数系統の伝送路のいずれか１つずつを経て受信される前記分割後データのそれぞれを前記同期信号で同期を取る同期手段と、前記同期信号の連続して付加される回数で前記複数系統の伝送路のいずれを前記分割後データが経由したかを判別する伝送路判別手段と、前記複数系統の伝送路のいずれか１つずつを伝送されてきた分割後データのそれぞれの同期を前記同期手段で取りながら前記伝送路判別手段で判別した伝送路ごとに受信された前記分割後データを順に組み合わせて前記ビットシリアルなデータを再生する再生手段とを備えたデータ受信装置
とを具備することを特徴とするデータ通信システム。
【請求項２】
送信対象としてのビットシリアルなデータを、特定の宛先まで送信する際に、伝送に使用する複数系統の伝送路の数に応じて分割するデータ分割手段と、このデータ分割手段で分割後のデータであるそれぞれの分割後データに、伝送路を異にして伝送する際の同期をとるための同期信号をそれぞれ挿入する同期信号挿入手段と、この同期信号挿入手段で前記分割後データの各々に挿入される同期信号に対して前記複数系統の伝送路それぞれに固有の回数で単位時間当たりのエラーを発生させる同期信号エラー発生手段とを備えたデータ送信装置と、
このデータ送信装置から前記複数系統の伝送路のいずれか１つずつを経て受信される前記分割後データのそれぞれを前記同期信号で同期を取る同期手段と、前記同期信号の単位時間当たりのエラー発生回数で前記複数系統の伝送路のいずれを前記分割後データが経由したかを判別する伝送路判別手段と、前記同期手段で前記複数系統の伝送路のいずれか１つずつを経て伝送されてきた分割後データのそれぞれの同期を取りながら前記伝送路判別手段で判別した伝送路ごとに受信された前記分割後データを順に組み合わせて前記ビットシリアルなデータを再生する再生手段とを備えたデータ受信装置
とを具備することを特徴とするデータ通信システム。
【請求項３】
送信対象としてのビットシリアルなデータを、特定の宛先まで送信する際に、そのデータの受信側での同期をとるための同期信号をそれぞれ挿入する同期信号挿入手段と、この同期信号挿入手段で前記データに挿入される同期信号に対して前記特定の宛先に通知すべき情報に対応する固有の回数で前記同期信号を連続して付加する同期信号連続付加手段とを備えたデータ送信装置と、
このデータ送信装置から前記複数系統の伝送路のいずれか１つずつを経て受信される前記分割後データのそれぞれを前記同期信号で同期を取る同期手段と、前記同期信号の連続して付加される回数を基に前記特定の宛先に通知すべき情報を判別する通知情報判別手段とを備えたデータ受信装置
とを具備することを特徴とするデータ通信システム。
【請求項４】
送信対象としてのビットシリアルなデータを、特定の宛先まで送信する際に、そのデータの受信側での同期をとるための同期信号をそれぞれ挿入する同期信号挿入手段と、この同期信号挿入手段で前記データに挿入される同期信号に対して前記特定の宛先に通知すべき情報に対応する固有の単位時間当たりのエラーを発生させる同期信号エラー発生手段とを備えたデータ送信装置と、
このデータ送信装置から前記複数系統の伝送路のいずれか１つずつを経て受信される前記分割後データのそれぞれを前記同期信号で同期を取る同期手段と、前記同期信号の単位時間当たりのエラー発生回数を基に前記特定の宛先に通知すべき情報を判別する通知情報判別手段とを備えたデータ受信装置
とを具備することを特徴とするデータ通信システム。
【請求項５】
前記同期信号連続付加手段は、前記複数系統の伝送路の種類に対応する数以外の数からなる装置状況に対応する数の同期信号を前記同期信号に付加することを特徴とする請求項１記載のデータ通信システム。
【請求項６】
前記同期信号連続付加手段は、前記複数系統の伝送路の種類に対応する数以外の数からなる装置状況に対応する数の単位時間当たりの同期信号のエラーを発生させることを特徴とする請求項１記載のデータ通信システム。
【請求項７】
前記データ送信装置は、送信対象としてのビットシリアルなデータを、前記特定の宛先まで送信する際に、伝送に使用する複数系統の伝送路の数に応じて分割するデータ分割手段を備え、前記特定の宛先に通知すべき情報は前記データ分割手段によって分割されたデータの伝送される伝送路のいずれか１つあるいは特定の異常状態であることを特徴とする請求項３記載のデータ通信システム。
【請求項８】
前記データ送信装置は、送信対象としてのビットシリアルなデータを、特定の宛先まで送信する際に、伝送に使用する複数系統の伝送路の数に応じて分割するデータ分割手段を備え、前記同期信号エラー発生手段は前記データ分割手段によって分割されたデータの伝送される伝送路のいずれか１つあるいは特定の異常状態に対応した数のエラーを単位時間当たり発生させる手段であることを特徴とする請求項４記載のデータ通信システム。
【請求項９】
送信対象としてのビットシリアルなデータを、特定の宛先まで送信する際に、伝送に使用する複数系統の伝送路の数に応じて分割するデータ分割ステップと、
このデータ分割ステップで分割後のデータであるそれぞれの分割後データに、伝送路を異にして伝送する際の同期をとるための同期信号をそれぞれ挿入する同期信号挿入ステップと、
この同期信号挿入ステップで前記分割後データの各々に挿入される同期信号に対して前記複数系統の伝送路それぞれに固有の回数で前記同期信号を連続して付加してこれら分割後データを前記複数系統の伝送路のそれぞれ対応するものに送出する分割データ送出ステップと、
この分割データ送出ステップで送出された前記分割後データをそれぞれの伝送路から受け取って、前記同期信号でそれぞれの分割後データの同期を取ると共に、前記同期信号の連続して付加される回数でこれらの分割後データが経由した伝送路をそれぞれ判別することで受信された前記分割後データを順に組み合わせて前記ビットシリアルなデータを再生する再生ステップ
とを具備することを特徴とするデータ通信方法。
【請求項１０】
送信対象としてのビットシリアルなデータを、特定の宛先まで送信する際に、伝送に使用する複数系統の伝送路の数に応じて分割するデータ分割ステップと、
このデータ分割ステップで分割後のデータであるそれぞれの分割後データに、伝送路を異にして伝送する際の同期をとるための同期信号をそれぞれ挿入する同期信号挿入ステップと、
この同期信号挿入ステップで前記分割後データの各々に挿入される同期信号に対して前記複数系統の伝送路それぞれに固有の回数で単位時間当たりのエラーを発生させ、これら分割後データを前記複数系統の伝送路のそれぞれ対応するものに送出する分割データ送出ステップと、
この分割データ送出ステップで送出された前記分割後データをそれぞれの伝送路から受け取って、前記同期信号でそれぞれの分割後データの同期を取ると共に、前記同期信号の単位時間当たりのエラー発生回数で前記複数系統の伝送路のいずれを前記分割後データが経由したかを判別することで受信された前記分割後データを順に組み合わせて前記ビットシリアルなデータを再生する再生ステップ
とを具備することを特徴とするデータ通信方法。
【発明の詳細な説明】
【技術分野】
【０００１】
本発明は、複数の回線ケーブルを使用してデータを分割して通信するデータ通信システムおよびデータ通信方法に係わり、たとえば、回線延長装置や回線終端装置で回線ケーブルの接続の誤りに対処するといったような用途に使用することができるデータ通信システムおよびデータ通信方法に関する。
【背景技術】
【０００２】
ビットシリアルなデータを回線を介して送受信するような場合、１本の回線ケーブルのみを使用して通信するよりも、複数の回線ケーブルを同時に使用できるときには、これらにデータを分割して転送した方が回線の使用効率が高くなる。また所定量のデータを通信するときに通信時間も短縮することができる。そこで、従来から送信位置から受信位置まで複数チャネルの通信路を使用して通信することが第１の提案として提案されている（たとえば特許文献１参照）。
【０００３】
この第１の提案では、初期伝送期間に同期信号を各チャネルに送出することで、それぞれのチャネルの信号の組み立て時の伝送時間の遅延を補正するようにしている。また、Ｎチャネルの通信路の確立の判定のために、符号データの連続するブロックの１つ置きにチャネルをそれぞれ表わすチャネル識別信号を送信するようにしている。たとえば、全部で６チャネルに分けてデータを伝送する場合には、チャネルを表わす「０」から「５」の数値とそれぞれのブロックのタイミング信号を交互に伝送するようにしている。
【０００４】
同様に、通信路設定の後に送信側からデータ送信に先立って両チャネルＢ１およびＢ２へ初期設定用の同期信号を送信して、ＩＳＤＮ（Integrated Services Digital Network）における２チャネルを伝送する信号を受信側で組み立てることが第２の提案として提案されている（たとえば特許文献２参照）。この第２の提案では、所定のパターンをもつ同期用データにチャネル識別用データを各々付加したチャネルＢ１およびＢ２の同期信号ｂ１およびｂ２を同一タイミングで発生するようにしている。
【特許文献１】特表昭６１−５０１５４３号公報（第４ページ左上欄第２１行目〜同ページ左下欄第９行目、図２）
【特許文献２】特開平０６−００６４１６号公報（第００１６段落、第００２３段落、図１）
【発明の開示】
【発明が解決しようとする課題】
【０００５】
このように従来の第１および第２の提案では、複数のチャネルにデータを分割して伝送するときに、それぞれのチャネルに同期信号とチャネル識別信号を個別に伝送するようにしていた。したがって、たとえばｎチャネルにデータを分割して伝送する場合には、通常のデータを構成するビットパターンと区別できる特別のパターンの同期信号だけでなく、チャネル識別信号についてもｎ通りの特別のパターンの信号を用意する必要があった。この結果として、通常のデータと区別できるパターンからなる（ｎ＋１）通りの特別のパターンの信号を用意する必要があった。
【０００６】
したがって、数値ｎの値が第２の提案のように２種類である場合のように種類が少ない場合はともかく、数値ｎの値が多くなると、これら（ｎ＋１）通りの特別のパターンを実現するために、通常のデータを構成するこれらと同一のビットパターンの通信を禁止するか、送受信装置間でビットパターンを本来のビットパターンと異なるパターンとして伝送する必要がある。
【０００７】
前者の場合には、通常のデータとして通信できないビットパターンが幾種類も発生することになって、データの欠落が発生するという大きな問題となる。後者の場合には、同期信号とチャネル識別信号のいずれかに割り当てられた（ｎ＋１）通りのビットパターンと同一の通常のビットシリアルなデータが存在するときには、送信側でこれらをそれら以外の特別のビットパターンにそれぞれ変換して伝送し、受信側ではこれら特別のビットパターンを元の通常のビットシリアルなデータに戻す必要が生じる。このため、このような例外的に扱うビットパターンの種類が多くなると、処理のために送信装置および受信装置の構成が複雑化してしまうという問題が生じる。
【０００８】
そこで本発明の目的は、同期信号以外に特別な識別信号を割り当てる必要なく、分割して伝送するデータのそれぞれの通信路を識別することが可能なデータ通信システムおよびデータ通信方法を提供することにある。
【０００９】
本発明の他の目的は、同期信号以外に特別な識別信号を割り当てる必要なく、送信側の異常等の各種の状態を受信側に通知することが可能なデータ通信システムおよびデータ通信方法を提供することにある。
【課題を解決するための手段】
【００１０】
請求項１記載の発明では、（イ）送信対象としてのビットシリアルなデータを、特定の宛先まで送信する際に、伝送に使用する複数系統の伝送路の数に応じて分割するデータ分割手段と、このデータ分割手段で分割後のデータであるそれぞれの分割後データに、伝送路を異にして伝送する際の同期をとるための同期信号をそれぞれ挿入する同期信号挿入手段と、この同期信号挿入手段で分割後データの各々に挿入される同期信号に対して前記した複数系統の伝送路それぞれに固有の回数で同期信号を連続して付加する同期信号連続付加手段とを備えたデータ送信装置と、（ロ）このデータ送信装置から前記した複数系統の伝送路のいずれか１つずつを経て受信される分割後データのそれぞれを同期信号で同期を取る同期手段と、同期信号の連続して付加される回数で前記した複数系統の伝送路のいずれを分割後データが経由したかを判別する伝送路判別手段と、前記した複数系統の伝送路のいずれか１つずつを伝送されてきた分割後データのそれぞれの同期を同期手段で取りながら伝送路判別手段で判別した伝送路ごとに受信された分割後データを順に組み合わせてビットシリアルなデータを再生する再生手段とを備えたデータ受信装置とをデータ通信システムに具備させる。
【００１１】
すなわち本発明では、送信対象としてのビットシリアルなデータを、伝送に使用する複数系統の伝送路の数に応じて分割して特定の宛先まで送信する。この際に分割後のデータであるそれぞれの分割後データに、伝送路を異にして伝送する際の同期をとるための同期信号をそれぞれ挿入すると共に、この同期信号に対して前記した複数系統の伝送路それぞれに固有の回数で同期信号を連続して付加するようにしている。付加する同期信号の数は「０」から開始してもよいし、「１」から開始してもよい。あるいは任意の正の整数をそれぞれの伝送路に個別に割り当てるものであってもよい。受信側では、同期信号の連続して付加される回数で前記した複数系統の伝送路のいずれを分割後データが経由したかを判別して、複数系統の伝送路のいずれか１つずつを伝送されてきた分割後データのそれぞれの同期を同期手段で取りながら伝送路判別手段で判別した伝送路ごとに受信された分割後データを順に組み合わせてビットシリアルなデータを再生することになる。したがって、本発明では、同期信号のみを用いて分割して伝送するデータのそれぞれの通信路を識別することが可能になる。
【００１２】
請求項２記載の発明では、（イ）送信対象としてのビットシリアルなデータを、特定の宛先まで送信する際に、伝送に使用する複数系統の伝送路の数に応じて分割するデータ分割手段と、このデータ分割手段で分割後のデータであるそれぞれの分割後データに、伝送路を異にして伝送する際の同期をとるための同期信号をそれぞれ挿入する同期信号挿入手段と、この同期信号挿入手段で分割後データの各々に挿入される同期信号に対して前記した複数系統の伝送路それぞれに固有の回数で単位時間当たりのエラーを発生させる同期信号エラー発生手段とを備えたデータ送信装置と、（ロ）このデータ送信装置から前記した複数系統の伝送路のいずれか１つずつを経て受信される分割後データのそれぞれを同期信号で同期を取る同期手段と、同期信号の単位時間当たりのエラー発生回数で前記した複数系統の伝送路のいずれを分割後データが経由したかを判別する伝送路判別手段と、同期手段で前記した複数系統の伝送路のいずれか１つずつを経て伝送されてきた分割後データのそれぞれの同期を取りながら伝送路判別手段で判別した伝送路ごとに受信された分割後データを順に組み合わせてビットシリアルなデータを再生する再生手段とを備えたデータ受信装置とをデータ通信システムに具備させる。
【００１３】
すなわち本発明では、すなわち本発明では、送信対象としてのビットシリアルなデータを、伝送に使用する複数系統の伝送路の数に応じて分割して特定の宛先まで送信する。この際に分割後のデータの各々に挿入される同期信号に対して前記した複数系統の伝送路それぞれに固有の回数で単位時間当たりのエラーを発生させるようにしている。単位時間当たりのエラーの発生回数は「０」から開始してもよいし、「１」から開始してもよい。あるいは任意の正の整数をそれぞれの伝送路に個別に割り当てるものであってもよい。受信側では、同期信号の単位時間当たりのエラーの発生回数数で前記した複数系統の伝送路のいずれを分割後データが経由したかを判別して、複数系統の伝送路のいずれか１つずつを伝送されてきた分割後データのそれぞれの同期を同期手段で取りながら伝送路判別手段で判別した伝送路ごとに受信された分割後データを順に組み合わせてビットシリアルなデータを再生することになる。したがって、本発明では、同期信号のみを用いて分割して伝送するデータのそれぞれの通信路を識別することが可能になる。
【００１４】
請求項３記載の発明では、（イ）送信対象としてのビットシリアルなデータを、特定の宛先まで送信する際に、そのデータの受信側での同期をとるための同期信号をそれぞれ挿入する同期信号挿入手段と、この同期信号挿入手段でデータに挿入される同期信号に対して前記した特定の宛先に通知すべき情報に対応する固有の回数で同期信号を連続して付加する同期信号連続付加手段とを備えたデータ送信装置と、（ロ）このデータ送信装置から前記した複数系統の伝送路のいずれか１つずつを経て受信される分割後データのそれぞれを同期信号で同期を取る同期手段と、同期信号の連続して付加される回数を基に前記した特定の宛先に通知すべき情報を判別する通知情報判別手段とを備えたデータ受信装置とをデータ通信システムに具備させる。
【００１５】
すなわち本発明では、送信対象としてのビットシリアルなデータを、特定の宛先まで送信する際に、そのデータの受信側での同期をとるための同期信号をそれぞれ挿入するようにしている。この際に、でデータに挿入される同期信号に対して前記した特定の宛先に通知すべき情報に対応する固有の回数で同期信号を連続して付加するようにしている。付加する同期信号の数は「０」から開始してもよいし、「１」から開始してもよい。あるいは任意の正の整数をそれぞれの伝送路に個別に割り当てるものであってもよい。受信側では、同期信号の連続して付加される回数で前記した特定の宛先に通知すべき情報を判別することができる。すなわち、送信側の異常等の各種の状態を受信側に通知することが可能になる。
【００１６】
請求項４記載の発明では、（イ）送信対象としてのビットシリアルなデータを、特定の宛先まで送信する際に、そのデータの受信側での同期をとるための同期信号をそれぞれ挿入する同期信号挿入手段と、この同期信号挿入手段でデータに挿入される同期信号に対して前記した特定の宛先に通知すべき情報に対応する固有の単位時間当たりのエラーを発生させる同期信号エラー発生手段とを備えたデータ送信装置と、（ロ）このデータ送信装置から前記した複数系統の伝送路のいずれか１つずつを経て受信される分割後データのそれぞれを同期信号で同期を取る同期手段と、同期信号の単位時間当たりのエラー発生回数を基に前記した特定の宛先に通知すべき情報を判別する通知情報判別手段とを備えたデータ受信装置とをデータ通信システムに具備させる。
【００１７】
すなわち本発明では、送信対象としてのビットシリアルなデータを、特定の宛先まで送信する際に、そのデータの受信側での同期をとるための同期信号をそれぞれ挿入するようにしている。この際に、データに挿入される同期信号に対して前記した特定の宛先に通知すべき情報に対応する固有の単位時間当たりのエラーを発生させるようにしている。単位時間当たりのエラーの発生回数は「０」から開始してもよいし、「１」から開始してもよい。あるいは任意の正の整数をそれぞれの伝送路に個別に割り当てるものであってもよい。受信側では、単位時間当たりの同期信号のエラーの発生回数前記した特定の宛先に通知すべき情報を判別することができる。すなわち、送信側の異常等の各種の状態を受信側に通知することが可能になる。
【００１８】
請求項９記載の発明では、（イ）送信対象としてのビットシリアルなデータを、特定の宛先まで送信する際に、伝送に使用する複数系統の伝送路の数に応じて分割するデータ分割ステップと、（ロ）このデータ分割ステップで分割後のデータであるそれぞれの分割後データに、伝送路を異にして伝送する際の同期をとるための同期信号をそれぞれ挿入する同期信号挿入ステップと、（ハ）この同期信号挿入ステップで分割後データの各々に挿入される同期信号に対して前記した複数系統の伝送路それぞれに固有の回数で同期信号を連続して付加してこれら分割後データを前記した複数系統の伝送路のそれぞれ対応するものに送出する分割データ送出ステップと、（ニ）この分割データ送出ステップで送出された分割後データをそれぞれの伝送路から受け取って、同期信号でそれぞれの分割後データの同期を取ると共に、同期信号の連続して付加される回数でこれらの分割後データが経由した伝送路をそれぞれ判別することで受信された分割後データを順に組み合わせてビットシリアルなデータを再生する再生ステップとをデータ通信方法に具備させる。
【００１９】
すなわち本発明では、請求項１記載の発明と同様の手順で、同期信号以外に特別な識別信号を割り当てる必要なく、分割して伝送するデータのそれぞれの通信路を識別することのできるデータ通信方法を実現している。
【００２０】
請求項１０記載の発明では、（イ）送信対象としてのビットシリアルなデータを、特定の宛先まで送信する際に、伝送に使用する複数系統の伝送路の数に応じて分割するデータ分割ステップと、（ロ）このデータ分割ステップで分割後のデータであるそれぞれの分割後データに、伝送路を異にして伝送する際の同期をとるための同期信号をそれぞれ挿入する同期信号挿入ステップと、（ハ）この同期信号挿入ステップで分割後データの各々に挿入される同期信号に対して前記した複数系統の伝送路それぞれに固有の回数で単位時間当たりのエラーを発生させ、これら分割後データを前記した複数系統の伝送路のそれぞれ対応するものに送出する分割データ送出ステップと、（ニ）この分割データ送出ステップで送出された分割後データをそれぞれの伝送路から受け取って、同期信号でそれぞれの分割後データの同期を取ると共に、同期信号の単位時間当たりのエラー発生回数で前記した複数系統の伝送路のいずれを分割後データが経由したかを判別することで受信された分割後データを順に組み合わせてビットシリアルなデータを再生する再生ステップとをデータ通信方法に具備させる。
【００２１】
すなわち本発明では、請求項２記載の発明と同様の手順で、同期信号以外に特別な識別信号を割り当てる必要なく、分割して伝送するデータのそれぞれの通信路を識別することのできるデータ通信方法を実現している。
【発明の効果】
【００２２】
以上説明したように本発明によれば、同期信号という送受信間で認知されたビットパターンのみを用いて伝送路の識別情報や異常の際の通知情報を相手先に伝送することにしたので、システムが複雑化しない。また、伝送路の識別情報を伝送することにすれば、回線と接続の関係を受信側で認識できるので、接続作業の確認を行ったり、接続ミスが発生した際の再接続作業を不要にすることができる。
【発明を実施するための最良の形態】
【００２３】
以下実施例につき本発明を詳細に説明する。
【実施例１】
【００２４】
図１は、本実施例のデータ通信システムの概要を表わしたものである。このデータ通信システム１００では、第１の端末装置１０１と第２の端末装置１０２の間でデータを分割して送受信することができるようになっている。このため、第１の端末装置１０１にはこれからデータを受け取って第２の端末装置１０２側に分割して送信する第１のデータ分割装置１０３が接続されている。また、第２の端末装置１０２にはこれからデータを受け取って第１の端末装置１０１側に分割して送信する第２のデータ分割装置１０４が接続されている。第１のデータ分割装置１０３と第２のデータ分割装置１０４の間には、第１〜第ｎの回線１０５1〜１０５nが存在する。したがって、第１のデータ分割装置１０３と第２のデータ分割装置１０４は、第１〜第ｎの回線１０５1〜１０５nを使用してデータを並列に通信することができる。
【００２５】
図２は、第１のデータ分割装置とその周辺を表わしたものである。図１に示した第２のデータ分割装置１０４も第１のデータ分割装置１０３と同一の回路構成となっている。そこで、第２のデータ分割装置１０４について説明するときには、図２に示した第１のデータ分割装置１０３内の回路部品の符号をそのまま用いて説明を行うことにする。
【００２６】
第１の端末装置１０１は、第１のデータ分割装置１０３内の端末インタフェース終端部１１１と接続されている。端末インタフェース終端部１１１では、インピーダンス整合を行うと共に、送信するデータの分割態様に応じて、データを分割して通信する際のそれぞれの回線を識別するための所定の回線識別信号を付加したり削除するようになっている。第１〜第ｎの回線１０５1〜１０５nは、第１のデータ分割装置１０３内の第１〜第ｎの回線終端部１１２1〜１１２nの対応するものと接続されている。第１〜第ｎの回線終端部１１２1〜１１２nも同様にインピーダンス整合を行うと共に所定の回線識別信号を付加したり削除するようになっている。
【００２７】
端末インタフェース終端部１１１は、データ変換部１１３、データ分割・多重部１１４および回線切替部１１５を介して第１〜第ｎの回線終端部１１２1〜１１２nと接続されている。また、データ変換部１１３は警報表示部１１６と接続されている。
【００２８】
このうち、回線切替部１１５は、第１〜第ｎの回線終端部１１２1〜１１２nから得られる回線識別信号１１７1〜１１７nを入力することで、図１に示した第２の端末装置１０２から送られてきた第１〜第ｎのデータ１１８1〜１１８nが正しい回線接続関係で送られてきたかどうかを判別するようになっている。そして、第１〜第ｎの回線１０５1〜１０５nの接続関係が第１の端末装置１０１と第２の端末装置１０２の間で狂っているような場合には、正しい関係となるように回線同士の入出力関係を切り替えるようになっている。
【００２９】
データ分割・多重部１１４は、第１〜第ｎの回線１０５1〜１０５n側から送られてくるデータをデータ１１９1〜１１９nとして回線切替部１１５から受け取り、このうちの所定のものを１組のデータとして多重する。また、第１の端末装置１０１から受信し第１〜第ｎの回線１０５1〜１０５n側へ送り出すデータ１２１をデータ１２２1〜１２２nに分割するようになっている。
【００３０】
データ変換部１１３は、データ分割・多重部１１４から多重されたデータ１２３を受け取ってそのエラーの有無を判別し、エラーが検出されたときにはアラーム信号１２４を警報表示部１１６に出力するようになっている。警報表示部１１６はアラーム信号１２４を受け取ると、図示しないディスプレイにアラームを表示したり、あるいは図示しないブザー等の警報音出力デバイスから警報音を出力するようになっている。
【００３１】
図３は、第１および第２のデータ分割装置の各回線終端部がそれぞれの回線と正常に接続されている場合を示したものである。また、図４は、第１および第２のデータ分割装置の一部の回線終端部が回線と間違って接続されている場合を示したものである。すなわち、これらのデータ通信システム１００で図３の場合には、第１の回線１０５1が第１および第２のデータ分割装置１０３、１０４の第１の回線終端部１１２1に接続されている。また、第２の回線１０５2が第１および第２のデータ分割装置１０３、１０４の第２の回線終端部１１２2に接続されている。以下同様である。
【００３２】
これに対して、図４の場合には、第１の回線１０５1が第１のデータ分割装置１０３の第１の回線終端部１１２1に正常に接続されているが、第２のデータ分割装置１０４の第２の回線終端部１１２2に間違って接続されている。また、第２の回線１０５2が第１のデータ分割装置１０３の第２の回線終端部１１２2に正常に接続されているが、第２のデータ分割装置１０４の第１の回線終端部１１２1に間違って接続されている。この例では、第３の回線１０５3以降については、図３と同様に正常な接続が行われているものとする。
【００３３】
このような場合、図３に示す例で第１の端末装置１０１から構成データＤ1〜Ｄnからなる送信データ１２５が送り出されたとする。これらの構成データＤ1〜Ｄnはｎ分割されて、第１のデータ分割装置１０３の第１〜第ｎの回線終端部１１２1〜１１２nから第１〜第ｎの分割後データ１２６1〜１２６nとして出力される。第１〜第ｎの分割後データ１２６1〜１２６nは、第１〜第ｎの回線１０５1〜１０５nに順に割り振られて送信される。
【００３４】
この場合、第２のデータ分割装置１０４の第１〜第ｎの回線終端部１１２1〜１１２nが構成データＤ1〜Ｄnを順に対応する形で受信する。したがって、第２のデータ分割装置１０４の第１〜第ｎの回線終端部１１２1〜１１２nがこれらの並列に受信した構成データＤ1〜Ｄnを第２のデータ分割装置１０４の第１〜第ｎの回線終端部１１２1〜１１２nの順に組み立てると、第２の端末装置１０２の受信する受信データ１２７も送信データ１２５と同様の順の構成データＤ1〜Ｄnからなることになる。すなわち、送信データ１２５が受信データ１２７として正常に受信されることになる。
【００３５】
次に、図４に示すように回線の接続が一部で間違っていたとする。順番を気にせず回線の接続を行った場合も同様である。このような場合に第１の端末装置１０１から構成データＤ1〜Ｄnからなる送信データ１２５が図３の場合と同様に送り出される。図２に示した回線切替部１１５が本発明と異なり動作していないものとする。
【００３６】
この場合、第１のデータ分割装置１０３の第１〜第ｎの回線終端部１１２1〜１１２nから出力された第１〜第ｎの分割後データ１２６1〜１２６nは、第２のデータ分割装置１０４側の第１および第２の回線終端部１１２1、１１２2が逆に接続されている結果として、受信データ１２７としての正しい配列にならない。すなわち、第２の端末装置１０２の受信データ１２７は構成データＤ2、Ｄ1、Ｄ3〜Ｄnとなり、受信側でエラーが発生することになる。
【００３７】
本実施例のデータ通信システム１００では、第１および第２のデータ分割装置１０３、１０４の第１〜第ｎの回線終端部１１２1〜１１２nと第１〜第ｎの回線１０５1〜１０５nとが図３に示したように正しい対応関係を保っている必要はない。図４に示すように、回線接続作業のミス等によってこれらの接続関係が正しくないような場合でも、第１の端末装置１０１から送り出されたデータが第２の端末装置１０２で常に正しく受信されるようになっている。逆に第２の端末装置１０２から第１の端末装置１０１に送り出されるデータについても同様である。
【００３８】
図５は、本実施例のデータ通信システムにおけるデータの分割送信の様子を説明するためのものである。本明細書では、送信側の回路装置と受信側の装置を区別する必要があるときに、送信側の回路装置に符号Ｓを、また受信側の回路装置に符号Ｒを付すことにする。以下の説明では図１あるいは図２に示す第１の端末装置１０１からデータを送信するものとして説明するが、第２の端末装置１０２からデータを送信する場合にも、データ通信システム１００の動作は全く同一である。
【００３９】
図１に示す送信側の第１の端末装置１０１から送り出されたデータは図２に示す第１のデータ分割装置１０３に入力され、そのデータ分割・多重部１１４Ｓで２つに分割される。これら分割されたデータは、２系統に分かれたデータとして回線切替部１１５Ｓをそのまま切替処理を行うことなく通過して、第１の回線終端部１１２Ｓ1と第２の回線終端部１１２Ｓ2に到達するものとして説明する。
【００４０】
図５に示す例では、第１の回線終端部１１２Ｓ1が第２の回線１０５2に間違って接続されており、第２の回線終端部１１２Ｓ2が第１の回線１０５1に間違って接続されている。ここで、受信側の第１の回線終端部１１２Ｒ1は図５に示すように第１の回線１０５1に正しく接続されており、第２の回線終端部１１２Ｓ2も第２の回線１０５2に正しく接続されているものとする。
【００４１】
送信側の第１の回線終端部１１２Ｓ1は、このような回線の接続状態の成否にかかわらず、送信データとしてアイドル（ＩＤＥＬ）パターン１３１が２つ連続した第１の回線識別信号１１７1を同期信号の代わりに送信する。また、送信側の第２の回線終端部１１２Ｓ2は、送信データとしてアイドルパターン１３１が３つ連続した第２の回線識別信号１１７2を同期信号の代わりに送信する。すなわち、ｍを正の整数とすると、第１のデータ分割装置１０３側では、分割された第ｍ番目の送信データとして、アイドルパターン１３１が（ｍ＋１）個連続した第ｍの回線識別信号１１７mを同期信号の代わりに送信することにしている。
【００４２】
なお、アイドルパターン１３１が（ｍ＋１）個連続したものを第ｍの回線識別信号１１７mとしているのは、アイドルパターン１３１が１個だけ存在する本来のアイドルパターンと区別するためである。アイドルパターンは、本来は空白のタイムスロットに同期のために挿入されるものである。
【００４３】
受信側の第２の回線終端部１１２Ｒ2では、同期信号として送られてきた第１の回線識別信号１１７1を受信すると、アイドルパターン１３１が２つ連続しているので、分割後の第１のデータ１１８1として判別する。そして、この判別結果としての第１の回線識別信号１１７1を第１の回線終端部１１２Ｒ1に対応する信号として回線切替部１１５Ｒに供給する。
【００４４】
同様に、受信側の第１の回線終端部１１２Ｒ1では、同期信号として送られてきた第２の回線識別信号１１７2を受信すると、アイドルパターン１３１が３つ連続しているので、分割後の第２のデータ１１８2として判別する。そして、この判別結果としての第２の回線識別信号１１７2を第１の回線終端部１１２Ｒ1に対応する信号として回線切替部１１５Ｒに供給する。
【００４５】
回線切替部１１５Ｒでは、２つの回線１０５1、１０５2の接続が正しければ、第１の回線識別信号１１７1を受信すべき入力端で第２の回線識別信号１１７2を受信し、反対に第２の回線識別信号１１７2を受信すべき入力端で第１の回線識別信号１１７1を受信する。そこで図５に破線で示したように分割後の第１のデータ１１８1と第２のデータ１１８2の出力先を交互に入れ替える。
【００４６】
図６は、受信データに対する回線切替部の切替処理の様子をソフトウェアで実現した場合を表わしたものである。図２に示した回線切替部１１５Ｒを備える第１のデータ分割装置１０３あるいは第２のデータ分割装置１０４（図１）は、図示しないＣＰＵ（Central Processing Unit）と、このＣＰＵが実行する制御プログラムを格納した記憶媒体を備えている。そして、この制御プログラムを実行することで、第１〜第ｎの回線１０５1〜１０５nのうちの複数から同時に受信する受信データの切替処理を行うようになっている。
【００４７】
すなわち回線切替部１１５Ｒでは、そのそれぞれの回線識別信号入力端に入力される回線識別信号１１７を構成するアイドル（ＩＤＥＬ）パターン１３１の連続個数からそれぞれ「１」を減算した値を判別する（ステップＳ２０１）。そして、回線切替部１１５Ｒの回線ごとのそれぞれの出力端が、アイドルパターン１３１の連続個数「２」以上のものの間で、若い方から「２」、「３」、……と昇順になるように各回線の受信データの出力先を切り替える（ステップＳ２０２）。
【００４８】
このようにして回線切替部１１５Ｒが一度切替処理を行ったら、再度、アイドルパターン１３１を含めたデータの新たな受信が開始されるまでの間、それらの切替先が固定される。たとえば図５に示した例では、回線切替部１１５Ｒに第１および第２の回線１０５1、１０５2の接続関係が逆となった受信データが得られる。したがって、回線切替部１１５Ｒは、これらに対応する切替処理を行ったら、第１および第２の回線終端部１１２1、１１２2と第１および第２の回線１０５1、１０５2の接続関係が固定されている受信データの継続中は回線切替部１１５Ｒの切替先をその状態で保持することになる。
【００４９】
これにより、データ分割・多重部１１４Ｒは、正しい配置関係で第１のデータ１１８1と第２のデータ１１８2を入力することになる。この結果、データ分割・多重部１１４Ｒからは第１のデータ１１８1の次に第２のデータ１１８2が出力されてデータ変換部１１３Ｒに送られる。ここでは、第１のデータ１１８1と第２のデータ１１８2の２つに分割して送られる場合を示しているが、ｎ分割して送られてきた場合には第１〜第ｎのデータ１１８1〜１１８nが正しい順序で組み立てられてデータ変換部１１３Ｒに送られることになる。
【００５０】
データ変換部１１３Ｒでは、このようにして多重されたデータに対して、周知の技術によってエラーチェックを行う。そして、何らかのエラーが発生している場合にはアラーム信号１２４を警報表示部１１６に送って警報を表示すると共に、所定のエラー処理が行われる。多重されたデータにエラーが生じていない場合、そのデータは端末インタフェース終端部１１１Ｒに送られる。そして、第１〜第ｎの回線識別信号１１７1〜１１７nがデータ中に存在すればこれが削除されて、受信側の第２のデータ分割装置１０４あるいは第１のデータ分割装置１０３に送られることになる。
【００５１】
以上説明した例を更に具体的に説明する。たとえばアイドルパターン１３１としては「０１１１１１１０」（１６進数で７Ｅパターン）のビットパターンが使用される。一方で、アイドルパターン１３１以外の通常のデータについては、「１」が６ビット連続しないようにする。通常のデータで「１」が６ビット以上連続することになるようなビットパターンが送出の対象となる場合、たとえばそのデータが「０１１１１１１０」となる場合には、「１」の７ビット目を追加して「０１１１１１１１０」とし、「１」が６ビット連続するアイドルパターン１３１と区別する。なお、データとして「０１１１１１１１０」が受信された場合には、７ビット目の「１」を受信側で削除して「０１１１１１１０」に直し、元の通常のデータを再現することになる。
【００５２】
本実施例の場合、アイドルパターン１３１が２つ連続した第１の回線識別信号１１７1は、「０１１１１１１０」「０１１１１１１０」となり、これ以後に「０１１１１１１０」以外のパターンが続くことになる。また、アイドルパターン１３１が３つ連続した第２の回線識別信号１１７2は「０１１１１１１０」「０１１１１１１０」「０１１１１１１０」となり、これ以後に「０１１１１１１０」以外のパターンが続くことになる。したがって、受信側の回線切替部１１５Ｒでは、そのそれぞれの回線識別信号入力端に入力される回線識別信号１１７を構成するアイドル（ＩＤＥＬ）パターン１３１の連続個数を判別することができる。
【００５３】
＜本発明の第１の変形例＞
【００５４】
図７は、本発明の第１の変形例における第１の回線終端部の構成を表わしたものである。この第１の変形例では受信側の第１の回線終端部１１２Ｒ1がハードウェアとしての回線同期検出回路３０１とアイドルパターン検出回路３０２を備えている。回線側から送られてきた第１の分割後データ１２６1は、回線同期検出回路３０１に入力され、ここでアイドルパターンを検出することで同期タイミングが検出される。アイドルパターンが複数連続するときには、先頭のアイドルパターンが同期信号として用いられる。
【００５５】
回線同期検出回路３０１から出力される分割後の第１のデータ１１８1は、図５に示した回線切替部１１５Ｒに供給される他、アイドルパターン検出回路３０２に入力される。アイドルパターン検出回路３０２では、アイドルパターンが２以上連続する場合のその個数を解読して第１の回線識別信号１１７1を回線切替部１１５Ｒに供給することになる。
【００５６】
図７では受信側の第１の回線終端部１１２Ｒ1の構成を示したが、受信側の第２〜第ｎの回線終端部１１２Ｒ2〜１１２Ｒnについても同様にハードウェアで回路構成することができる。
【００５７】
＜本発明の第２の変形例＞
【００５８】
図８は、本発明の第２の変形例における第１の回線終端部の構成を表わしたものである。この第２の変形例では受信側の第１の回線終端部１１２ＲＡ1がハードウェアとしての回線同期検出回路３０１とアイドルパターンエラー検出回路３０２Ａを備えている。回線側から送られてきた第１の分割後データ１２６Ａ1は、回線同期検出回路３０１に入力され、ここでアイドルパターンを検出することで同期タイミングが検出される。アイドルパターンエラー検出回路３０２Ａは、図示しないタイマによって単位時間当たりのアイドルパターンのエラー発生回数を検出する。
【００５９】
この第２の変形例では、データの送信側で図１に示す第１〜第ｎの回線１０５1〜１０５nのそれぞれに対応させて、単位時間当たりのアイドルパターンエラー回数を設定している。たとえば第１の回線１０５1に送り出される分割後のデータ（分割後データ）の同期信号を構成するアイドルパターンの単位時間当たりのエラー発生回数は「０」であり、第ｎの回線１０５n（ただし値ｎは２以上の整数）の同期信号を構成するアイドルパターンの単位時間当たりのエラー発生回数は「ｎ−１」となっている。
【００６０】
したがって、第２の変形例では、単位時間当たりのアイドルパターンエラー回数を測定することで第１〜第ｎの回線１０５1〜１０５nのいずれを使用して分割後データが受信されたかを判別することができ、これにより各分割後データを順序良く組み立てることができる。もちろん、エラーの発生したアイドルパターンも同期信号としての判別は可能なので、第１〜第ｎの回線１０５1〜１０５nの間でそれぞれの分割後データの同期を取ることは可能である。
【００６１】
＜本発明の第３の変形例＞
【００６２】
図９は、本発明の第３の変形例におけるデータ通信システムを表わしたものである。この第３の変形例のデータ通信システム１００Ｃでは、第１のデータ分割装置１０３Ｃと第２のデータ分割装置１０４Ｃが、接続先の第１の端末装置１０１Ｃあるいは第２の端末装置１０２Ｃの障害発生等の異常状態の発生を検出する状態検出部４０１と、同期信号の連続数を状態検出部４０１の検出結果と対応付けた同期信号連続数状態対応テーブル４０２をそれぞれ備えている。また、第１の端末装置１０１Ｃと第２の端末装置１０２Ｃは、通信の相手先の障害発生等の異常状態の発生を表示する表示部４０３を備えている。
【００６３】
図１０は、第３の変形例における同期信号連続数状態対応テーブルの内容を表わしたものである。同期信号連続数状態対応テーブル４０２には、図５に示したアイドル（ＩＤＥＬ）パターン１３１からなる同期信号の連続する数を表わした同期信号連続数と受信側に通知すべき状態との関係が記述されている。
【００６４】
たとえば、同期信号連続数が「１」のときには、同期信号が１つだけなので、本来の同期信号の存在タイミングを受信側に通知するだけのものとなっている。同期信号連続数が「２」のときには、同期信号が２つ連続する。したがって、最初の同期信号は同期のタイミングを受信側に通知するものとなっているが、同期信号が２つ連続することで、図９に示す第１の回線終端部１１２1から第１の回線１０５1に送出されるはずの第１の回線識別信号を表わすものとなっている。「第１の回線１０５1に送出されるはず」と表現したのは、たとえば第１の回線終端部１１２1が第２の回線１０５2に誤って接続されていれば、第２の回線１０５2に送出されるからである。同様に、同期信号が３つ連続する場合には、図９に示す第２の回線終端部１１２2から第２の回線１０５2に送出されるはずの第２の回線識別信号を表わすものとなっている。以下同様にして、同期信号が（ｎ＋１）個連続する場合には、第ｎの回線識別信号を表わすものとなっている。
【００６５】
同期信号が（ｎ＋２）から（ｎ＋ｍ）個連続する場合には、図９に示した状態検出部４０１の検出結果としての各異常状態が対応付けられている。たとえば同期信号が（ｎ＋２）個連続する場合、第１のデータ分割装置１０３Ｃあるいは第２のデータ分割装置１０４Ｃに第１の端末装置１０１Ｃと第２の端末装置１０２Ｃのうちの対応するものが未接続であることを示している。また、たとえば同期信号が（ｎ＋ｍ）個連続する場合には、第１の端末装置１０１Ｃと第２の端末装置１０２Ｃのうちの対応するものの電源が断となっていることを表わしている。
【００６６】
したがって、第３の変形例のデータ通信システム１００Ｃでは、第１の端末装置１０１Ｃから第２の端末装置１０２Ｃにデータを分割して送信するものとすると、送信側が正常な場合、同期信号連続数を「２」〜「ｎ＋１」のうちの所定のものを使用することで、第２のデータ分割装置１０４Ｃ側にどの経路で分割後信号が送られてきたかを示す回線識別信号が送られることになる。また、送信側に異常が発生している場合には、これらの回線識別信号の代わりに障害の原因を示す状態信号が送られて、受信側の表示部４０３Ｒにその内容が表示されることになる。
【００６７】
なお、以上説明した本発明の実施例および変形例では送信側の分割後のデータの種類をアイドルパターンの個数の増加に対応させたが、これに限るものではない。減少させる方向に両者の関係を持たせてもよいし、暗号化の見地から独自の順序で対応付けるようにしてもよい。
【００６８】
また、本発明の第３の変形例では、同期信号連続数状態対応テーブルに同期信号連続数と対応付けて回線識別信号と障害についての状態信号を記述したが、障害についての状態信号のみを対応付けて記述するようにしてもよい。この場合には、通信システムがデータを分割して通信するシステムに限定される必要はない。すなわち、データを分割しないで送受信するシステムについても、同期信号連続数と対応付けて障害等の情報を受信側に通知することが可能である。
【図面の簡単な説明】
【００６９】
【図１】本実施例のデータ通信システムの概要を表わしたシステム構成図である。
【図２】本実施例の第１のデータ分割装置とその周辺を表わしたブロック図である。
【図３】本実施例で第１および第２のデータ分割装置の各回線終端部がそれぞれの回線と正常に接続されている場合の動作を示した説明図である。
【図４】本実施例で第１および第２のデータ分割装置の一部の回線終端部が回線と間違って接続されている場合の動作を示した説明図である。
【図５】本実施例のデータ通信システムにおけるデータの分割送信の様子を示した説明図である。
【図６】本実施例で受信データに対する回線切替部の切替処理の様子を表わした流れ図である。
【図７】本発明の第１の変形例における第１の回線終端部の構成を表わしたブロック図である。
【図８】本発明の第２の変形例における第１の回線終端部の構成を表わしたブロック図である。
【図９】本発明の第３の変形例のデータ通信システムの概要を表わしたシステム構成図である。
【図１０】第３の変形例における同期信号連続数状態対応テーブルの内容を表わした説明図である。
【符号の説明】
【００７０】
１００、１００Ｃ  データ通信システム
１０１、１０１Ｃ、  第１の端末装置
１０２、１０２Ｃ  第２の端末装置
１０３、１０３Ｃ  第１のデータ分割装置
１０４、１０４Ｃ  第２のデータ分割装置
１０５  回線
１１１  端末インタフェース終端部
１１２  回線終端部
１１４  データ分割・多重部
１１５  回線切替部
１１７  回線識別信号
３０１  回線同期検出回路
３０２、３０２Ａ  アイドルパターン検出回路
４０１  状態検出部
４０２  同期信号連続数状態対応テーブル
４０３  表示部
【図１】
2008172719.tif 000003
【図２】
2008172719.tif 000004
【図３】
2008172719.tif 000005
【図４】
2008172719.tif 000006
【図５】
2008172719.tif 000007
【図６】
2008172719.tif 000008
【図７】
2008172719.tif 000009
【図８】
2008172719.tif 000010
【図９】
2008172719.tif 000011
【図１０】
2008172719.tif 000012